(57)【要約】【課題】座体等の荷重支持体に着座者の荷重が入力されたときに、荷重支持体の荷重受部が平坦面を維持したまま荷重入力方向に沿って変位できるようにして、着座感の改善と耐久性の維持を図ることのできる椅子を提供する。【解決手段】荷重受部２５の着座者からの荷重入力方向の剛性を、連結部２６の剛性よりも高剛性にする。連結部２６は、荷重受部２５に接続されるとともに、荷重受部２５を通した着座者からの荷重入力によって被支持部２４方向に伸び変形する第１変形部２８と、一端部が第１変形部２８に接続され他端部が被支持部２４に接続されるとともに、荷重受部２５と第1変形部２８を通した着座者からの荷重入力によって被支持部２４方向に縮み変形する第２変形部２９と、を備えた構造とする。【選択図】図７
2015080642.tif 000002
【特許請求の範囲】
【請求項１】
椅子本体に支持される被支持部と、
該被支持部の内側に配置され、着座者の荷重を受ける荷重受部と、
前記被支持部と前記荷重受部とを連結する連結部と、
を有する荷重支持体を備え、
前記連結部の弾性変形が前記荷重受部の変位を助長する椅子において、
前記荷重受部は、着座者からの荷重入力方向の剛性が前記連結部の剛性よりも高剛性とされ、
前記連結部は、前記荷重受部に接続されるとともに、前記荷重受部を通した前記着座者からの荷重入力によって被支持部方向に伸び変形する第１変形部と、一端部が前記第１変形部に接続され他端部が前記被支持部に接続されるとともに、前記荷重受部と前記第1変形部を通した前記着座者からの荷重入力によって前記被支持部方向に縮み変形する第２変形部と、を備えていることを特徴とする椅子。
【請求項２】
前記第１変形部は、前記荷重受部の荷重受面に対し、荷重入力側と逆側で鈍角を成すように前記被支持部側に湾曲若しくは屈曲して形成され、
前記第２変形部は、前記荷重受部の荷重受面と交差する方向に湾曲若しくは屈曲する折り返し形状を少なくとも一つ有していることを特徴とする請求項１に記載の椅子。
【請求項３】
前記第２変形部は、着座者からの荷重入力側に凸に湾曲若しくは屈曲する凸状折り返し部を有し、
前記第１変形部は、前記凸状折り返し部の前記荷重受部寄りで、かつ荷重入力側から最も離反する位置に接続され、
前記第２変形部の前記凸状折り返し部の前記荷重入力方向での最大高低差は、前記第１変形部の前記荷重入力方向での最大高低差よりも大きく設定されていることを特徴とする請求項２に記載の椅子。
【請求項４】
前記第２変形部の折り返し形状部分は、稜線部を挟む二面が鋭角を成すように形成されていることを特徴とする請求項２または３に記載の椅子。
【発明の詳細な説明】
【技術分野】
【０００１】
この発明は、座体や背凭れ部等の荷重支持体を改良した椅子に関するものである。
【背景技術】
【０００２】
事務用等として用いられる椅子として、着座者の荷重を支持する座体に板部材を含むものがある。この種の椅子では、座体の板部材全体が高剛性であると、柔らかな着座感が得られ難い。このため、板部材の一部を弾性変形できるようにした椅子が案出されている（特許文献１，２参照）。
特許文献１，２に記載の椅子は、座体の板部材の周縁部が椅子フレームに支持される被支持部とされるとともに、その被支持部の内側が着座者の荷重が入力される荷重受部とされ、被支持部と荷重受部の間が弾性変形可能な連結部によって連結されている。連結部は、断面Ｕ字状に下方に凸に湾曲した帯状片によって形成され、荷重受部に着座者の荷重が入力されたときに、連結部の帯状片が開くように弾性変形することにより、荷重受部の凹状の撓み変形を助長するようになっている。
【先行技術文献】
【特許文献】
【０００３】
【特許文献１】特許第４５１８６０３号公報
【特許文献２】特許第４２３８０８３号公報
【特許文献３】特開２０１３−１０３０６８号公報
【発明の概要】
【発明が解決しようとする課題】
【０００４】
しかしながら、特許文献１，２に記載の椅子は、いずれも着座者からの荷重入力に対し荷重受部が幅方向の略中央から裏面方向（下方）に撓み変形するものであるため、荷重受部の凹状の変形とともに着座者の臀部が側方から圧迫されることになり、着座者に窮屈な着座感を与えることが懸念される。
【０００５】
一方、この対策として、乗員の着座時に板部材の全域が面方向に拡大して撓む特許文献３に記載の技術を適用することも考えられるが、この場合、着座時や、着座後の着座者の細かな動作に応じて板部材が変形するため、経年劣化による初期位置への弾性復帰力の低下や、それに伴って発生する強度低下を招くことが懸念される。
【０００６】
そこでこの発明は、座体等の荷重支持体に着座者の荷重が入力されたときに、荷重支持体の荷重受部が平坦面を維持したまま荷重入力方向に沿って変位できるようにして、着座感の改善と耐久性の維持を図ることのできる椅子を提供しようとするものである。
【課題を解決するための手段】
【０００７】
この発明に係る椅子では、上記課題を解決するために以下の構成を採用した。
椅子本体に支持される被支持部と、該被支持部の内側に配置され、着座者の荷重を受ける荷重受部と、前記被支持部と前記荷重受部とを連結する連結部と、を有する荷重支持体を備え、前記連結部の弾性変形が前記荷重受部の変位を助長する椅子において、前記荷重受部は、着座者からの荷重入力方向の剛性が前記連結部の剛性よりも高剛性とされ、前記連結部は、前記荷重受部に接続されるとともに、前記荷重受部を通した前記着座者からの荷重入力によって被支持部方向に伸び変形する第１変形部と、一端部が前記第１変形部に接続され他端部が前記被支持部に接続されるとともに、前記荷重受部と前記第１変形部を通した前記着座者からの荷重入力によって前記被支持部方向に縮み変形する第２変形部と、を備えていることを特徴とする。
これにより、荷重受部に着座者の荷重が入力されると、連結部の第１変形部が被支持部方向に伸び変形しつつ第２の変形部が被支持部方向に縮み変形し、荷重受部がほぼ平坦面を維持したまま荷重入力方向に沿って沈み込むようになる。着座者は、連結部の上記の動きにより、身体が両側方から圧迫されるような着座感を受けなくなる。また、荷重受部に着座者の荷重が入力されたときには、第１変形部の伸び変形を第２変形部の縮み変形が吸収するようにして、連結部全体が着座者からの荷重入力方向と交差する方向に弾性変形しつつ、荷重受部が裏面方向に変位するので、着座者は柔らかな着座感を得ることができる。
【０００８】
前記第１変形部は、前記荷重受部の荷重受面に対し、荷重入力側と逆側で鈍角を成すように前記被支持部側に湾曲若しくは屈曲して形成され、前記第２変形部は、前記荷重受部の荷重受面に対して交差する方向に湾曲若しくは屈曲する折り返し形状を少なくとも一つ有する構成としても良い。
これにより、第１変形部と第２変形部とが滑らかに連続した形状となり、荷重受部から第１変形部に入力された荷重によって、第２変形部を効率良く縮み変形させることが可能になる。
【０００９】
前記第２変形部は、着座者からの荷重入力側に凸に湾曲若しくは屈曲する凸状折り返し部を有し、前記第１変形部は、前記凸状折り返し部の前記荷重受部寄りで、かつ荷重入力側から最も離反する位置に接続され、前記第２変形部の前記凸状折り返し部の前記荷重入力方向での最大高低差は、前記第１変形部の前記荷重入力方向での最大高低差よりも大きく設定されることが望ましい。
この場合、第１変形部が、凸状折り返し部の荷重受部寄りで、荷重入力側から最も離反する位置に接続されていることから、荷重受部の沈み込み変位に拘わらず、第１変形部から第２変形部を縮み変形させる方向に効率良く荷重を作用させることが可能になる。また、凸状折り返し部の荷重入力方向での最大高低差が、第１変形部の荷重入力方向での最大高低差よりも大きく設定されていることから、第２変形部を可及的に肉薄にせずに柔軟に縮み変形させることが可能になるとともに、第１変形部が荷重受部に近接した位置でスペースを大きく占有することがなくなる。したがって、これにより第２変形部の耐久性を向上させることが可能になるとともに、荷重支持体の裏面側のスペース効率が高まる。
【００１０】
前記第２変形部の折り返し形状部分は、稜線部を挟む二面が鋭角を成すように形成されることが望ましい。
これにより、荷重受部から第１変形部に入力された荷重によって第２変形部をより柔軟に変形させることが可能になる。
【発明の効果】
【００１１】
この発明によれば、荷重受部に着座者の荷重が入力されたときに、連結部の第１変形部が被支持部方向に伸び変形しつつ第２の変形部が被支持部方向に縮み変形するため、荷重受部をほぼ平坦に維持したまま荷重入力方向に沿って変位させることができる。したがって、荷重受部に着座した着座者が荷重受部から窮屈な着座感を受けることがなく、着座感が良好なものとなる。
また、この発明によれば、着座者からの荷重入力時に、第１変形部の伸び変形を第２変形部の縮み変形が吸収するように連結部全体が弾性変形するため、荷重支持体の局部的な劣化を未然に防止することができる。
【図面の簡単な説明】
【００１２】
【図１】この発明の一実施形態の椅子の側面図である。
【図２】この発明の一実施形態の椅子の背面図である。
【図３】この発明の一実施形態の椅子の座板の上面図である。
【図４】この発明の一実施形態の座板の図３のＩＶ−ＩＶ断面に対応する断面図である。
【図５】この発明の一実施形態の座体と座フレームの図４の左半分の領域に対応する断面図である。
【図６】この発明の一実施形態の座板の図３のＶＩ−ＶＩ断面に対応する断面図である。
【図７】この発明の一実施形態の座体と座フレームの図６の左半分の領域に対応する断面図である。
【図８】この発明の一実施形態の座板の図３のＶＩＩＩ−ＶＩＩＩ断面に対応する断面図である。
【発明を実施するための形態】
【００１３】
以下、この発明の一実施形態を図面に基づいて説明する。
なお、以下の説明においては、椅子に正規姿勢で着座した人の正面が向く図中矢印ＦＲの指す向きを「前」と呼び、それと逆側の向きを「後」と呼ぶものとする。また、「上」，「下」と「左」，「右」については、椅子に正規姿勢で着座した人の上方の図中矢印ＵＰの指す向きを「上」、それと逆側の向きを「下」と呼び、椅子に正規姿勢で着座した人の左側の図中矢印ＬＨの指す向きを「左」、それと逆側の向きを「右」と呼ぶものとする。
【００１４】
図１，図２は、この実施形態の椅子１の全体構成を示す側面図と背面図である。
これらの図に示すように、この実施形態の椅子１は、フロアＦ上に載置される脚部２と、脚部２の上端に設置されるボックス状の支基３と、着座者が着座する座体４と、支基３から後部上方側に延出して座体４に着座した着座者の背中を支持する背凭れ部６と、支基３と背凭れ部６の後述する支持フレーム９の前縁部とに支持されて座体４を下方で支持する座フレーム５と、を備えている。この実施形態においては、座体４が荷重支持体を構成している。
【００１５】
脚部２は、キャスタ７ａ付きの多岐脚７と、多岐脚７の中央部より起立し昇降機構であるガススプリングを内蔵する脚柱８と、を備え、脚柱８の上端部に支基３が水平方向に回転可能に取り付けられている。支基３には、脚柱８の昇降調整機構と背凭れ部６の傾動調整機構が内蔵されている。背凭れ部６は、側面視略Ｌ字状の一対の背凭れ支持フレーム９と、背凭れ支持フレーム９の後上部に取り付けられ座体４に着座した着座者の背部を直接支持する背凭れ本体１０と、を備え、背凭れ支持フレーム９の前端部が支基３に揺動可能に軸支されている。なお、図中符号１２は、支基３上における背凭れ支持フレーム９の枢支軸である。また、支基３の後端部と背凭れ支持フレーム９の中間部との間には、背凭れ本体１０を起立方向に付勢するためのガススプリング２０が揺動可能に連結されている。
【００１６】
背凭れ部６の背凭れ本体１０は、骨格部を成す背板１１と、背板１１の前面側と裏面の一部にかかる部分を被覆する張材１３と、背板１１の裏面側（後面側）を覆うカバー部材１４と、を備えている。なお、張材１３の裏面には、ウレタン等から成る図示しないクッション材が融着されている。
背板１１の裏面側を覆うカバー部材１４は、背板１１の裏面側に凹凸嵌合等の適宜手段によって固定される。この実施形態の場合、座体４の後方側から上方に立ち上がる背凭れ支持フレーム９の上方延出部９ａは、カバー部材１４の前面側に締結固定されている。支持フレーム９の上方延出部９ａの前方側は背板１１によって覆われている。
【００１７】
座体４は、骨格部材を成す座板１５と、座板１５の上面側に配置されるクッション材５０（図５，図７参照）と、そのクッション材５０と座板１５の外周縁部と裏面の一部にかかる部位を覆う張材１６と、を備えている。
座フレーム５は、座体４の幅方向（左右方向）に沿って延出して座板１５の前部側下面を支持する前部支持軸１７と、座体４の幅方向に沿って延出して座板１５の後部側下面を支持する後部支持軸１８と、前部支持軸１７と後部支持軸１８の左側の端部同士と右側の端部同士をそれぞれ連結するとともに、座板１５の左右の側辺部の下面に結合される一対の連結プレート１９と、を備えている。
【００１８】
座フレーム５の前部支持軸１７は、支基３の前縁部を幅方向に貫通して、支基３に回動可能、かつ前後移動可能に支持されている。具体的には、支基３の前縁部には、前端部から斜め後方側に傾斜したガイド孔２１が設けられ、前部支持軸１７がそのガイド孔２１に回動可能、かつスライド可能に支持されている。また、前部支持軸１７は、支基３の内部においては図示しない付勢スプリングによって常時前方側に付勢されている。
一方、座フレーム５の後部支持軸１８は、支基３の後部上方側に配置され、左右の両縁部が左右の背凭れ支持フレーム９の各前方延出部９ｂの上面に、軸受部材５１と取付ブラケット２２を介して回動可能に支持されている。したがって、この座フレーム５においては、背凭れ部６が背凭れ支持フレーム９の前端の枢支軸１２を中心として後方側に傾動すると、前方延出部９ｂの下方側への傾動によって後部支持軸１８が後部斜め下方側に引っ張られ、それに伴って前部支持軸１７が支基３のガイド孔２１内を斜め後ろ下方にスライド移動する。座体４は、座フレーム５のこの動作により、背凭れ部６の傾動に追従して斜め後ろ下方に変位するように姿勢を変化させる。
なお、この実施形態においては、脚部２、支基３、背凭れ支持フレーム９、座フレーム５等によって椅子本体が構成されている。
【００１９】
図３は、座体４の座板１５を上方側から見た図であり、図４は、座板１５の図３のＩＶ−ＩＶ断面に対応する断面図、図５は、座体４と座フレーム５の図４の左半分の領域に対応する断面図である。また、図６は、座板１５の図３のＶＩ−ＶＩ断面に対応する断面図であり、図７は、座体４と座フレーム５の図６の左半分の領域に対応する断面図、図８は、座板１５の図３のＶＩＩＩ−ＶＩＩＩ断面に対応する断面図である。なお、図３においては、支基３と座フレーム５と背凭れ支持フレーム９の一部が鎖線で併せて示されている。
座板１５は、着座者の荷重を支持し得る強度を有する合成樹脂によって形成され、上面視では四隅が丸みを帯びた略長方形状とされている。座板１５の外周縁部は、上面と下面に複数の補強リブ２３が突設され、それによって上下方向（曲げ方向）や捩れ方向の剛性が高められている。この実施形態の場合、座板１５の外周縁部のうちの左右の側縁部が、座フレーム５（椅子本体）に直接支持される被支持部２４とされ、その左右の被支持部２４が剛性の高い座板１５の前縁部と後縁部とによって相互に連結されている。座フレーム５の前部支持軸１７と後部支持軸１８は、左右の両縁部が上方に向かって傾斜しており（図７参照）、その傾斜した各縁部が連結プレート１９を介して左右の被支持部２４の下面にボルト締結等によって連結されている。
【００２０】
座板１５の左右の被支持部２４の間の領域には、座体４の上面中央に着座者が正規姿勢で着座したときに、着座者の臀部から荷重が直接入力される荷重受部２５が設けられている。荷重受部２５は上面視が略方形状の領域であり、その左右の側辺部は、後に詳述する肉薄の連結部２６を介して座板１５の被支持部２４に連結されている。
荷重受部２５の上面側は平坦に形成され、裏面側には荷重受部２５の上下方向の曲げ剛性と捩れ剛性を高めるために複数の補強リブ２７が形成されている。荷重受部２５は、着座者からの荷重入力方向（上下方向）の剛性が連結部２６の剛性よりも高剛性となっている。
【００２１】
座板１５の左右の連結部２６は、荷重受部２５の端部に接続され、荷重受部２５を通した着座者からの荷重入力（下方に向く荷重入力）によって隣接する被支持部２４の方向に伸び変形する第１変形部２８と、一端部が第１変形部２８に接続され他端部が隣接する被支持部２４に接続されるとともに、第１変形部２８を通した着座者からの荷重入力によって隣接する被支持部２４に向く方向で縮み変形する第２変形部２９と、を備えている。
【００２２】
連結部２６の第１変形部２８と第２変形部２９は、被支持部２４や荷重受部２５に比較して全域が薄肉に形成され、荷重受部２５に着座者の荷重が入力されたときに全域が柔軟に撓み変形するようになっている。また、座板１５のうちの、左右の各連結部２６の前端部と後端部にそれぞれ臨む位置には、各連結部２６が座板１５の前縁部と後縁部によって拘束を受けずに自由に変形し得るように、左右方向に延出するスリット３０が形成されている。また、各連結部２６の左右方向の幅は、前端側から後端側にかけて一定幅ではなく、前端側よりも後端側の領域の方が、幅が広くなるように設定されている。
【００２３】
図４〜図７に示すように、第１変形部２８は、荷重受部２５の略水平な上面に対し、下方側に鈍角を成すように隣接する被支持部２４側に緩やかな円弧を描いて湾曲している。また、第２変形部２９は、上下方向に湾曲し上端側を頂部とした略Ｕ字状の凸状折り返し部２９ａを備えている。第１変形部２８の最下端部は、凸状折り返し部２９ａの座板１５の内側寄りの端部に滑らかな円弧を描いて接続されている。また、凸状折り返し部２９ａの座板１５の外側寄りの端部は同様に滑らかな円弧を描いて隣接する被支持部２４に連結されている。なお、この実施形態では、凸部が上に向く凸状折り返し部２９ａが一つだけ設けられているが、第２変形部２９は凸部が上に向く凸状折り返し部２９ａと凸部が下に向く凸状折り返し部２９ａが任意数連続する形状であっても良い。
【００２４】
また、図５，図７に示すように、第２変形部２９の凸状折り返し部２９ａの上下方向での（荷重入力方向での）最大高低差は、第１変形部２８の上下方向での（荷重入力方向での）最大高低差よりも大きく設定されている。そして、第２変形部２９の凸状折り返し部２９ａは、頂部の稜線部ａを挟む二面が鋭角を成すように湾曲している。なお、この実施形態の場合、第１変形部２８と第２変形部２９は、荷重受部２５と被支持部２４に滑らかに連続するように円弧状の断面が連続する形状とされているが、第１変形部２８や第２変形部２９は必ずしも湾曲形状である必要はなく、屈曲した形状であっても良い。
【００２５】
ここで、座板１５は、着座者から荷重受部２５に荷重が入力されると、連結部２６の第１変形部２８と第２変形部２９を左右方向に弾性変形させつつ、下方に沈み込むように変位しようとする。このとき、着座者の重心の直下位置となる荷重受部２５の後部側領域は、前部側領域に比較して大きな荷重を受けることになる。このため、この座板１５においては、後部側領域をよりスムーズに沈み込ませるように、荷重受部２５と座板１５の後縁部の間に左右方向に延出するスリット３１が設けられている。なお、左右の連結部２６の幅が前述のように前部側よりも後部側が広く設定されているのは、このスリット３１の機能とともに荷重受部２５の後部側領域をよりスムーズに沈み込ませるためである。
【００２６】
また、座板１５の荷重受部２５の裏面のうちの、座フレーム５の後部支持軸１８の直上位置には、下面側に凹状の当接面を有する規制凸部３２が突設されている。この規制凸部３２は、荷重受部２５の後部側領域が規定量以上に沈み込んだときに、図７中の二点鎖線で示すように、後部支持軸１８の中央領域の上面に当接することにより、荷重受部２５の後部側領域の過大な沈み込みを規制する。
【００２７】
つづいて、この実施形態の椅子１に着座者が着座したときにおける座板１５の挙動について詳細に説明する。
着座者が座板１５に着座して着座者の荷重が荷重受部２５にほぼ鉛直下方に作用すると、図５，図７中の二点鎖線で示すように、その荷重が左右の連結部２６の第１変形部２８に伝達されて第１変形部２８を左右に押し延ばすように弾性変形させ、その荷重を受ける第２変形部２９が隣接する被支持部２４方向に押し縮められるように弾性変形する。このとき、荷重受部２５は、連結部２６に比較して肉厚であるうえに、裏面側が補強リブ２７によって補強されていることから、大きな撓み変形を生じすることなく、連結部２６の弾性変形によって下方側に沈み込むように変位する。
【００２８】
以上のように、この実施形態に係る椅子１においては、座板１５の荷重受部２５の上下方向の剛性が連結部２６の剛性よりも高剛性に設定され、両側の連結部２６が、荷重受部２５側に接続されて荷重受部２５に着座者の荷重が入力されたときに、その荷重を受けて幅方向外側に伸び変形する第１変形部２８と、第１変形部２８と被支持部２４に接続されて第１変形部２８を通して着座者の荷重が伝達されたときに、被支持部２４方向に縮み変形する第２変形部２９と、を備えているため、着座者の着座時に荷重受部２５をほぼ平坦に維持したまま、荷重受部２５をスムーズに下方に変位させることができる。
したがって、この椅子１に着座した着座者は、荷重受部２５の沈み込みによって柔らかな着座感を得ることができるとともに、荷重受部２５の広い領域が平坦な状態に維持されて身体が両側方から圧迫されることがなくなるために、窮屈な着座感を受けることがない。
【００２９】
また、この実施形態に係る椅子１においては、上記の構成により、着座者の荷重が荷重受部２５に作用したときに、第１変形部２８の伸び変形を第２変形部２９の縮み変形で吸収するように連結部２６全体が弾性変形するため、座板１５の一部に大きな応力が作用し続けることによる座板１５の局部的な劣化を未然に防止することができる。
【００３０】
また、この実施形態の椅子１では、連結部２６の第１変形部２８が、荷重受部２５側から下方側に鈍角を成すように隣接する被支持部２４側に湾曲し、連結部２６の第２変形部２９が、水平方向と交差する方向にＵ字状に湾曲する凸状折り返し部２９ａを有する形状とされているため、第１変形部２８と第２変形部２９とが滑らかに連続した形状となる。このため、荷重受部２５から第１変形部２８に入力された荷重によって、第２変形部２９を効率良く縮み変形させることができる。
【００３１】
特に、この実施形態の場合、第１変形部２８が、第２変形部２９の凸状折り返し部２９ａの荷重受部２５寄りで、荷重入力側から最も離反する位置に接続されているため、荷重受部２５の沈み込み初期はもとより荷重受部２５の沈み込み量が増大しても、第２変形部２９を第１変形部２８によって効率良く縮み変形させることができる。
【００３２】
さらに、この実施形態では、第２変形部２９の凸状折り返し部２９ａの荷重入力方向での最大高低差が、第１変形部２８の荷重入力方向での最大高低差よりも大きく設定されているため、第２変形部２９を可及的に肉薄にせずに柔軟に縮み変形させることができる。このため、第２変形部２９の耐久性を高めることができる。また、第１変形部２８が荷重受部２５に近接した位置でスペースを大きく占有しなくなるため、座板１５の裏面側のスペース効率が高まる。
【００３３】
また、この実施形態の椅子１においては、第２変形部２９の凸状折り返し部２９ａが、稜線部ａを挟む二面が鋭角を成すように形成されているため、荷重受部２５から第１変形部２８に入力された荷重によって第２変形部２９をより柔軟に変形させることができる。
【００３４】
なお、この発明は上記の実施形態に限定されるものではなく、その要旨を逸脱しない範囲で種々の設計変更が可能である。例えば、上記の実施形態は座体が荷重支持体を構成するものであるが、荷重支持体は座体に限らず、背凭れ部の背凭れ本体であっても良い。
【符号の説明】
【００３５】
４  座体（荷重支持体）
２４  被支持部
２５  荷重受部
２６  連結部
２８  第１変形部
２９  第２変形部
２９ａ  凸状折り返し部
ａ  稜線部
【図１】
2015080642.tif 000003
【図２】
2015080642.tif 000004
【図３】
2015080642.tif 000005
【図４】
2015080642.tif 000006
【図５】
2015080642.tif 000007
【図６】
2015080642.tif 000008
【図７】
2015080642.tif 000009
【図８】
2015080642.tif 000010